(57)【特許請求の範囲】
【請求項１】
空気調和機の機内と機外の空気の流通及び熱を遮断する外装板と、
空気調和機外郭を構成する骨組みの部材であって同一形状で構成されている角殻柱の対角線上に、Ｌ形状の殻柱を有するフレームと、
前記外装板を前記フレームのＬ形状の前記殻柱内に先端が収まる形で固定するためのねじと、
かつ前記フレームの機内側及び前記外装板接触面に前記フレーム形状に沿って貼り付けられた空気の流通及び熱の伝達を遮断するフレームパッキンとを備え、
前記フレームパッキンの貼り付けられた前記フレームに前記パネルを固定するための、前記ねじの先端を機内の熱の授受が発生しない空間である殻柱内にとどめ、
前記フレームは、前記殻柱の前記外装板取付面に凸形状の段差を設け、
前記フレームに前記フレームパッキンを介し、前記パネルを前記フレームに設けられた凸形状の先端に接触させ、前記ねじを用いて締め付け固定した空気調和機。
【請求項２】
空気調和機外郭を構成する骨組みの部材であって同一形状で構成されている角殻柱の対角線上に、Ｌ形状の殻柱を有するフレームと、空気の流通及び熱の伝達を遮断するフレームパッキンと、前記フレームの機内側及び前記外装板接触面に前記フレームパッキンを前記フレーム形状に沿って貼り付ける接着剤を備え、前記フレームと前記フレームパッキンを長期的な時間経過において容易に剥がすことが可能な接着剤を用いることを特徴とする請求項１記載の空気調和機。
【請求項３】
空気調和機を構成する複数のブロックと、前記ブロックの外郭の骨組みである、角殻柱の対角線上にＬ形状の殻柱を有し、且つ角殻柱の前記ブロック接続面に凹みを設けたフレームと、前記ブロック接続面に空気の流通を遮断する接続パッキンとを備え、前記ブロック同士の接続時、前記フレームの前記ブロック接続面に設けられた凹みの底面に、前記接続パッキンを貼り付けることを特徴とした空気調和機。
【請求項４】
熱交換器から滴下する結露水をドレンパイプへ導くドレンパンと、
空気調和機外郭を構成する骨組みの部材であって同一形状で構成されている角殻柱の対角線上にＬ形状の殻柱を有するフレームと、
前記フレームと前記ドレンパンの間に空気の流通及び熱の伝達を遮断するパッキンと、
前記ドレンパンを前記フレームのＬ形状の前記殻柱内に先端が収まる形で固定するためのねじを備え、
前記フレームに前記パッキンを介し前記ドレンパンを前記ねじにより締め付け固定し、前
記パッキンに前記ドレンパン及び熱交換器の重量を支え得る硬質発泡プラスチックを用いることを特徴とする空気調和機。
【発明の詳細な説明】
【０００１】
【発明の属する技術分野】
本発明は、空気調和機外郭を構成する骨組みの部材であって同一形状で構成されているフレームと空気調和機の機内と機外の空気の流通及び熱を遮断する外装板の接合により構成されている空気調和機器に関する。
【０００２】
【従来の技術】
従来、この種の空気調和機器について図４を参照しながら説明する。図に示すように、フレーム（Ａ）１０１とフレーム（Ｂ）１０２の間に断熱を目的とした樹脂成形品１０３をかしめて、ブロック１０４を構成することを目的とした一体フレームとなっている。外装板１０５は空気の流通及び熱を遮断するパッキン１０６を介し、外装板固定ねじ１０７によりフレーム（Ｂ）１０２に締め付け固定している。
【０００３】
また、各ブロックの接続面と接続面の間に空気の流通を遮断する接続パッキン１０８を貼付けてフレーム（Ｂ）に取付けられたブロック接続金具１０９を用いてボルトナット１１０にて締め付け固定されている。
【０００４】
また、熱交換器から滴下する結露水をドレンパイプ１１２へ導くドレンパン１１３は、フレームに締結された金属製補助フレーム１１４にねじで固定されている。
【０００５】
【発明が解決しようとする課題】
このような従来のフレームの構造では、外装板固定ねじが機内温度域と機外温度域を貫通しているため、冷房運転時に内部空間の冷気がフレーム（Ｂ）→外装板固定ねじの経路で熱伝導され、外装板固定ねじの頭に結露が発生して床面を濡らすとともに無効な冷房負荷エネルギー消費の発生という課題があった。
【０００６】
また、外装板を空気の流通及び熱を遮断するパッキンを介し、外装板固定ねじによりフレーム（Ｂ）に締め付け固定しているが、ねじを締め付けることにより限りなくパッキンの厚みはゼロに近づき、断熱効果が低下する。加えて取付後外装板を外し再度取付ける場合、パッキンの厚み回復力は極めて低くエアリークの原因になるという課題があった。
【０００７】
また、従来のようなフレーム（Ａ）とフレーム（Ｂ）の間に断熱を目的とした樹脂成形品等をかしめて一体フレームとした場合、材料の分離が難しく寿命のきた空気調和機を廃棄する場合においてフレームを構成する材料の再利用（リサイクル）が困難であるという課題があった。
【０００８】
また、各ブロックの接続面と接続面の間に空気の流通を遮断する接続パッキンを貼付けてフレーム（Ｂ）に取付けられたブロック接続金具を介してボルトナットにて締め付け固定されているが、作業誤差によりパッキンの潰れ代が均一でなく、エアリークの原因となるという課題があった。
【０００９】
また、熱交換器から滴下する結露水をドレンパイプへ導くドレンパンは、フレームに締結された金属製補助フレームにねじで固定される構造となっていたが、冷房空調時冷やされた結露水の溜まるドレンパンからの熱の伝達によりフレーム及び架台が結露を発生するという課題があった。
【００１０】
本発明は、このような従来の課題を解決するものであり、外装板固定ねじ及びドレンパンからの熱リークの経路を遮断して結露の発生を防止することができ、パッキンを適正な潰れ代に保つことによりエアリークの発生を防止し、品質の高い、また材料の分割を容易にすることによりリサイクル性の高い環境にやさしい空気調和機を提供することを目的としている。
【００１１】
【課題を解決するための手段】
請求項１記載の本発明の空気調和機器は、空気調和機の機内と機外の空気の流通及び熱を遮断する外装板と、空気調和機外郭を構成する骨組みの部材であって同一形状で構成されている角殻柱の対角線上に、Ｌ形状の殻柱を有するフレームと、前記外装板を前記フレームのＬ形状の前記殻柱内に先端が収まる形で固定するためのねじと、かつ前記フレームの機内側及び前記外装板接触面に前記フレーム形状に沿って貼り付けられた空気の流通及び熱の伝達を遮断するフレームパッキンとを備え、前記フレームパッキンの貼り付けられた前記フレームに前記パネルを固定するための、前記ねじの先端を機内の熱の授受が発生しない空間である殻柱内にとどめ、前記フレームは、前記殻柱の前記外装板取付面に凸形状の段差を設け、前記フレームに前記フレームパッキンを介し、前記パネルを前記フレームに設けられた凸形状の先端に接触させ、前記ねじを用いて締め付け固定して、ねじ部の機内側から機外側への熱の授受を防ぐことを特徴とする。
【００１３】
また、空気調和機外郭を構成する骨組みの部材であって同一形状で構成されている角殻柱の対角線上に、Ｌ形状の殻柱を有するフレームと、空気の流通及び熱の伝達を遮断するフレームパッキンと、前記フレームの機内側に前記フレームパッキンを前記フレーム形状に沿って貼り付ける接着剤を備え、前記フレームと前記フレームパッキンを長期的な時間経過において容易に剥がすことが可能な接着剤を用いることを特徴とする。
【００１４】
また、空気調和機を構成する複数のブロックと、前記ブロックの外郭の骨組みである、角殻柱の対角線上にＬ形状の殻柱を有し、且つ角殻柱の前記ブロック接続面に凹みを設けたフレームと、前記ブロック接続面に空気の流通を遮断する接続パッキンとを備え、前記ブロック同士の接続時、前記フレームの前記ブロック接続面に設けられた凹みの底面に、前記接続パッキンを貼り付けることを特徴とする。
【００１５】
また、熱交換器から滴下する結露水をドレンパイプへ導くドレンパンと、空気調和機外郭を構成する骨組みの部材であって同一形状で構成されている角殻柱の対角線上に、Ｌ形状の殻柱を有するフレームと、前記フレームと前記ドレンパンの間に熱の伝達を遮断するパッキンと、前記ドレンパンを前記フレームのＬ形状の前記殻柱内に先端が収まる形で固定するためのねじを備え、前記フレームに前記パッキンを介し前記ドレンパンを前記ねじにより締め付け固定している。前記パッキンに前記ドレンパン及び熱交換器の重量を支え得る硬質発泡プラスチックを用いることを特徴とする。
【００１６】
【発明の実施の形態】
本発明の第１の実施の形態による空気調和機は、フレームパッキンの貼り付けられたフレームにパネルを固定するための、ねじの先端を機内の熱の授受が発生しない空間である殻柱内にとどめているものである。このようにねじ部の機内側から機外側への熱の授受を防ぐことにより、冷房運転時に内部空間の冷気が熱伝導され、外装板固定ねじの頭に結露が発生することを防止し、且つ無効な冷房負荷エネルギー消費を緩和させる。
【００１７】
本発明の第２の実施の形態は、フレームにパッキンを介し、パネルをフレームに設けられた凸形状の先端に接触させ、前記ねじを用いて締め付け固定しているものである。このようにパネルとフレームの隙間を一定に保つことにより、フレームパッキンが適正な潰れ代を長期的に維持することができ、断熱効果の向上とシール性の信頼性を向上させることができる。
【００１８】
本発明の第３の実施の形態は、フレームとフレームパッキンを長期的な時間経過において容易に剥がすことが可能な接着剤を用いるものである。このように材質の異なる主要材料の分割を容易にすることができる。従って、寿命のきた空気調和機を廃棄する場合において、フレームを構成する材料の再利用が可能となり、リサイクル性の高い環境にやさしい空気調和機を提供できる。
【００１９】
本発明の第４の実施の形態による空気調和機は、ブロック同士の接続時、フレームのブロック接続面に設けられた凹みの底面に、接続パッキンを貼り付けるものである。このように、各フレームのブロック接続面同士の隙間を一定に保つことにより、パッキンが適正な潰れ代を長期的に維持することができ、エアリークの発生を防止することができる。
【００２０】
本発明の第５の実施の形態による空気調和機は、フレームにパッキンを介しドレンパンをねじにより締め付け固定している。パッキンにドレンパン及び熱交換器の重量を支え得る硬質発泡プラスチックを用いるものである。このように、重量の大きなドレンパンを、パッキンの体積の減少により断熱特性が低下することもなく、支えることができる。従って、冷房空調時、冷やされた結露水の溜まるドレンパンからの熱の伝達によりフレーム及び架台が結露を発生することを防止することができる。
【００２１】
以下、本発明の実施例について図面を参照しながら説明する。
【００２２】
【実施例】
（実施例１）
図１に示すように、フィルターブロック１、コイルブロック２、及びファンブロック３により空気調和機を構成している。簡単に運転状態を空気の流れに沿って説明すると、空調されるべき空気は屋内或は屋外よりダクト等を通ってＲＡ開口４より機内に入り、フィルターブロック１内にあるフィルター５を通過し埃や臭いを除去し、コイルブロック内にある熱交換器６及び加湿器７により冷房・暖房・加湿・除湿等を行う。次に空気の移動を可能にするファン８を通ってＳＡ開口９よりダクト等を介して屋内に運ばれる。このような空気の流れにおいて、以下のような構成とする。
【００２３】
外装板１０は２枚の鋼板により挟まれ、また周縁部は２枚の鋼板の断熱を目的としたサイドモール１２により塞がれており、内部には断熱材１３が充填されている。外装板１０の外周部には周縁に平行に複数個の外装板固定ねじ１１が貫通しており、この外装板１０をフレーム１４に固定している。フレーム１４は殻柱状にアルミニウムの押出し成形品で製作されており、外装板固定ねじ１１の先端が収まる懐を持つＬ形状の殻柱１５を含む形状となっており外装板固定ねじ１１の先端が機内の空気に接しない構造となっている。このような構造とすることで従来の冷房時、コイル６を通過し冷やされた空気が外装板固定ねじ１１の先端に接することで伝熱し機外へ放冷されることにより発生していた外装板固定ねじ１１頭の結露を防止することができる。
【００２４】
また、フレーム１４の機内側及び外装板１０の接触面にフレーム形状に沿って、空気の流通及び熱の伝達を遮断するフレームパッキン１６が、長期的な時間経過において容易に剥がすことが可能な接着剤１７にて貼り付けられていることで、材質の異なる主要材料の分割を容易にすることができる。従って、寿命のきた空気調和機を廃棄する場合において、フレーム１４を構成する材料の再利用が可能となる。
【００２５】
また、殻柱１５の外装板１０との接触面には凸形状の段差１８を設け、外装板固定ねじ１１を締め付けた場合、外装板１０のサイドモール１２にあたりフレーム５と外装板１０の間にあるフレームパッキン１６が、適正な潰れ代を長期的に維持できる。このような構成とすることで、ねじを締め付けることにより限りなくフレームパッキン１６の厚みがゼロに近づくことを防ぎ、断熱効果が低下することを抑制する。加えてフレームパッキン１６の潰れ代を適正に保つことで、フレームパッキン１６の厚み回復力を向上させ、空気調和機の運転時機外と機内に圧力差が発生しても機外の空気が混入したり又機外へ漏れることの無い信頼性の高い空気調和機を提供できる。
【００２６】
（実施例２）
図２に示すように、フィルターブロック１、コイルブロック２、及びファンブロック３により空気調和機を構成している。それらのブロックの外郭の骨組みである、アルミニウムの押出し成形品で製作されたＬ形状の殻柱１５を有したフレーム１４のブロック接続面に凹み２１を設け、凹み２１の底面に接続パッキン２２を貼り付ける。そして、ブロック同士の接続時、殻柱１５にブロック接続金具固定ねじ２３で固定された各ブロックの２個のブロック接続金具２４をボルトナット２５にて締め付ける。その時、前述の接続パッキン２２を各ブロックのフレーム１４の凹みに封じ込める。このような構成とすることで、接続パッキン２２が適正な潰れ代を長期的に維持することが可能となり、接続パッキン２２の厚み回復力を向上させ、空気調和機の運転時機外と機内に圧力差が発生しても機外の空気が混入したり又機外へ漏れることの無い信頼性の高い空気調和機を提供できる。
【００２７】
（実施例３）
図３に示すように、ドレンパン３１はコイル６から滴下する結露水をドレンパイプ３２へ導く役割を果たし、且つコイル６を支えている。また断熱の為ドレンパン３１の下面には硬質ウレタン発泡３３が吹き付けられている。そして、ドレンパン３１はパッキン３４を介して、アルミニウムの押出し成形品で製作されたフレーム１４のＬ形状の殻柱１５にドレンパン固定ねじ３５にて取付けられている。そのパッキン３４はドレンパン３１及びコイル６の重量を支えつつ、断熱を可能とする硬質発泡プラスチックを用いている。このような構成とすることで、重量の大きなドレンパンを、パッキン３４の体積の減少により断熱特性が低下することもなく支えることが可能となり、冷やされた結露水の溜まるドレンパン３１からの熱の伝達によるフレーム１４の結露発生を防止することができる。
【００２８】
尚、フレーム１４はアルミニウムの押出し品を使用しているが、アルミニウムの代わりに樹脂、ＦＲＰ、ジュラルミン、ゴムでも良い。
【００２９】
【発明の効果】
以上の発明から明らかなように、本発明によれば外装板固定ねじの機内側から機外側への熱の授受を防ぐことにより、冷房運転時に内部空間の冷気が熱伝導され、外装板固定ねじの頭に結露が発生することを防止し、且つ無効な冷房負荷エネルギー消費を緩和させる空気調和機器を提供できる。
【００３０】
また、本発明によればパネルとフレームの隙間を一定に保つことにより、フレームパッキンが適正な潰れ代を長期的に維持することができ、断熱効果の向上とシール性の信頼性を向上させることができる。
【００３１】
また、本発明によれば材質の異なる主要材料の分割を容易にすることができる。従って、寿命のきた空気調和機を廃棄する場合において、フレームを構成する材料の再利用が可能となり、リサイクル性の高い環境にやさしい空気調和機を提供できる。
【００３２】
また、本発明によれば各フレームのブロック接続面同士の隙間を一定に保つことにより、パッキンが適正な潰れ代を長期的に維持することができ、エアリークの発生を防止することができる。
【００３３】
また、本発明によれば重量の大きなドレンパンを、パッキンの体積の減少により断熱特性が低下することもなく、支えることができる。従って、冷房空調時、冷やされた結露水の溜まるドレンパンからの熱の伝達によりフレーム及び架台が結露を発生しない空気調和機を提供できる。
【図面の簡単な説明】
【図１】本発明の実施例１のフレーム及び外装板接合部詳細を示す断面図
【図２】本発明の実施例２のブロック構成図と接続部詳細を示す断面図
【図３】本発明の実施例３のドレンパン取付詳細を示す断面図
【図４】従来の空気調和機器のブロック構成図と接続部詳細を示す断面図
【符号の説明】
１      フィルタブロック
２      コイルブロック
３      ファンブロック
４      ＲＡ開口
５      フィルター
６      コイル
７      加湿器
８      ファン
９      ＳＡ開口
１０    外装板
１１    外装板固定ねじ
１２    サイドモール
１３    断熱材
１４    フレーム
１５    殻柱
１６    フレームパッキン
１７    接着剤
１８    段差
２１    凹み
２２    接続パッキン
２３    ブロック接続金具固定ねじ
２４    ブロック接続金具
２５    ボルトナット
３１    ドレンパン
３２    ドレンパイプ
３３    硬質ウレタン発泡
３４    パッキン（硬質発泡プラスチック）
３５    ドレンパン固定ねじ
１０１  フレーム（Ａ）
１０２  フレーム（Ｂ）
１０３  樹脂成形品
１０４  ブロック
１０５  外装板
１０６  パッキン
１０７  外装板固定ねじ
１０８  接続パッキン
１０９  ブロック接続金具
１１０  ボルトナット
１１１  熱交換器
１１２  ドレンパイプ
１１３  ドレンパン
１１４  金属製補助フレーム
【図１】
0004663091.tif 000002
【図２】
0004663091.tif 000003
【図３】
0004663091.tif 000004
【図４】
0004663091.tif 000005